(57)【要約】  【課題】  複数の二次電池セルを直列に接続した状態で使用する電気機器に内蔵され、前記二次電池セルの過充電を未然に防止することができる二次電池充電装置を提供する。  【解決手段】  電池セルＢＡＴ１及びＢＡＴ２を直列に接続した状態で使用する電気機器に内蔵され、電池セルＢＡＴ１及びＢＡＴ２を充電する二次電池充電装置であって、電池セルＢＡＴ１及びＢＡＴ２各々の充電状態を検出することができる二次電池充電装置。スイッチＳＷ３をＯＮ、スイッチＳＷ１、ＳＷ２、及びＳＷ４をＯＦＦにすることで、電池セルＢＡＴ１及びＢＡＴ２各々の充電状態を検出することができる。電池セルＢＡＴ１及びＢＡＴ２各々の充電状態のばらつきが大きい場合、電池セルＢＡＴ１及びＢＡＴ２の同時充電を行わないようにして過充電を未然に防止する。【選択図】      図１
2007053828.tif 000002
【特許請求の範囲】
【請求項１】
複数の二次電池セルを直列に接続した状態で使用する電気機器に内蔵され、前記複数の二次電池セルを充電する二次電池充電装置であって、
前記複数の二次電池セル各々の充電状態を検出する検出手段を備えることを特徴とする二次電池充電装置。
【請求項２】
前記複数の二次電池セル各々を個別に充電できる充電手段を備え、
前記検出手段によって検出された前記複数の二次電池セル各々の充電状態の最大値と最小値との差が所定値以上である場合、前記充電手段により前記複数の二次電池セル各々を個別に充電する請求項１に記載の二次電池充電装置。
【請求項３】
前記充電手段が、前記複数の二次電池セル各々を個別に充電することもでき、前記複数の二次電池セルを直列に接続した状態で前記複数の二次電池セルを同時に充電することもできる充電手段であって、
前記検出手段によって検出された前記複数の二次電池セル各々の充電状態の最大値と最小値との差が所定値未満である場合、前記充電手段により前記複数の二次電池セルを直列に接続した状態で前記複数の二次電池セルを同時に充電する請求項２に記載の二次電池充電装置。
【請求項４】
前記複数の二次電池セル各々の周辺温度を検出する温度検出手段を備え、
前記充電手段により前記複数の二次電池セルを直列に接続した状態で前記複数の二次電池セルを同時に充電している際に、前記温度検出手段によって検出された前記複数の二次電池セル各々の周辺温度の最大値と最小値との差が所定値以上であれば、充電を中止する請求項３に記載の二次電池充電装置。
【請求項５】
前記複数の二次電池セル各々の無負荷での電圧を検出し、前記複数の二次電池セル各々の無負荷での電圧の少なくとも一つが所定の範囲外であれば、充電を行わない請求項１〜４のいずれかに記載の二次電池充電装置。
【請求項６】
請求項１〜５のいずれかに記載の二次電池充電装置を内蔵し、前記二次電池充電装置が充電する複数の二次電池セルを直列に接続した状態で使用することを特徴とする電気機器。
【発明の詳細な説明】
【技術分野】
【０００１】
本発明は、複数の二次電池セルを直列に接続した状態で使用する電気機器に内蔵され、前記複数の二次電池セルを充電する二次電池充電装置及びそれを備えた電気機器に関する。
【背景技術】
【０００２】
従来の二次電池充電装置の構成例を図３に示す。図３に示す従来の二次電池充電装置は、２本の電池セルＢＡＴ１及びＢＡＴ２を直列に接続した状態で使用する電気機器に内蔵される二次電池充電装置である。
【０００３】
図３に示す従来の二次電池充電装置は、ＡＣアダプタ１１と、レギュレータ１２と、ＤＣ／ＤＣコンバータ１３と、充電回路１４と、マイクロコンピュータ（以下、マイコンという）１５と、端子１６と、逆流防止用ダイオードＤ１１と、スイッチＳＷ１１と、抵抗Ｒ１１〜Ｒ１５と、サーミスタＴＨ１１とを備えており、２本の電池セルＢＡＴ１及びＢＡＴ２を装着する。図３に示す従来の二次電池充電装置に装着された２本の電池セルＢＡＴ１及びＢＡＴ２は直列に接続された状態になる。また、ＡＣアダプタ１１からＤＣ電圧が出力されていればスイッチＳＷ１１をＯＦＦとし、ＡＣアダプタ１１からＤＣ電圧が出力されていなければスイッチＳＷ１１をＯＮとする。例えば、ＡＣアダプタ１１の出力電圧を検出する電圧検出回路を設け、当該電圧検出回路の検出結果に応じてマイコン１５がスイッチＳＷ１１のＯＮ／ＯＦＦを制御するようにすればよい。また、スイッチＳＷ１１には例えばＦＥＴ（Field Effect Transistor）を用いるとよい。
【０００４】
図３に示す従来の二次電池充電装置は、マイナス電極端子側側面（マイナス電極端子から５ｍｍ程度の領域）の絶縁物被覆を廃止してマイナス電極端子からの延長部分を露出させている専用ニッケル水素二次電池セル（ただし、形状は単３形や単４形等の規格に沿った形状である）を充電対象としている。なお、一般的なニッケル水素二次電池セルでは、プラス電極側とマイナス電極側との短絡を防止するために側面全体が絶縁物で被覆されている。
【０００５】
図３に示す従来の二次電池充電装置では、２本の電池セルＢＡＴ１及びＢＡＴ２が装着されたときに電池セルＢＡＴ１のマイナス電極端子側側面（マイナス端子から５ｍｍ程度の領域）が端子１６に接触するようになっており、マイコン１５は、端子１６の電圧の検出結果に基づいて、装着された２本の電池セルＢＡＴ１及びＢＡＴ２が上記専用ニッケル水素二次電池セルであるか否かを判別する。
【０００６】
図３に示す従来の二次電池充電装置に装着された電池セルＢＡＴ１及びＢＡＴ２が、側面全体が絶縁物で被覆されている一般的なニッケル水素二次電池セルである場合、端子１６の電圧がゼロとなる。また、図３に示す従来の二次電池充電装置に装着された２本の電池セルＢＡＴ１及びＢＡＴ２が、マイナス電極端子側側面（マイナス電極端子から５ｍｍ程度の領域）の絶縁物被覆を廃止してマイナス電極端子からの延長部分を露出させているアルカリ電池セル（１．５Ｖ出力）やマンガン電池セル（１．５Ｖ出力）である場合、アルカリ電池セルやマンガン電池セルの側面はプラス電極端子からの延長部分であるため、端子１６の電圧が２本の電池セルの合計電圧（３．０Ｖ）となる。これに対して、図３に示す従来の二次電池充電装置に装着された２本の電池セルＢＡＴ１及びＢＡＴ２が上記専用ニッケル水素二次電池セル（１．２Ｖ出力）である場合、端子１６の電圧は２本の電池セルの中間電圧（１．２Ｖ）となる。
【０００７】
したがって、マイコン１５は、端子１６の電圧が１．２Ｖ程度である場合に図３に示す従来の二次電池充電装置に装着された２本の電池セルＢＡＴ１及びＢＡＴ２が上記専用ニッケル水素二次電池セルであると判定する。電池セルＢＡＴ１及びＢＡＴ２が上記専用ニッケル水素電池セルであると判定した後は、充電回路１４によって定電流充電が行われる。そして、マイコン１５は、抵抗Ｒ１１及びＲ１２によって検出される電池セルＢＡＴ１及びＢＡＴ２の合計電圧から電池電圧の変化率を算出し、サーミスタＴＨ１１によって検出される電池周辺温度から温度上昇の変化率を算出し、前記電池電圧の変化率及び前記温度上昇の変化率が充電完了条件を満たしているか否かを判定し、充電完了条件を満たしていれば充電を停止するように充電回路１４を制御する。
【特許文献１】特開平７−２８２７９０号公報
【発明の開示】
【発明が解決しようとする課題】
【０００８】
しかしながら、図３に示す従来の二次電池充電装置では、電池セルＢＡＴ１の充電状態と電池セルＢＡＴ２の充電状態にばらつきがあると、それぞれの電池セルが等しく満充電されない。例えば、片方だけが満充電になり他方は充電未完の状態となる場合では、この状態で放電に入ると２本の電池セルの容量分の動作時間が得られないという問題があった。また、片方が満充電になり他方は過充電となる場合では、過充電される電池セルが破損に至るおそれがあるという問題があった。
【０００９】
なお、特許文献１で提案されている電池ユニットも図３に示す従来の二次電池充電装置と同様の問題点を有している。
【００１０】
本発明は、上記の問題点に鑑み、複数の二次電池セルを直列に接続した状態で使用する電気機器に内蔵され、前記二次電池セルの過充電を未然に防止することができる二次電池充電装置及びそれを備えた電気機器を提供することを目的とする。
【課題を解決するための手段】
【００１１】
上記目的を達成するために本発明に係る二次電池充電装置は、複数の二次電池セルを直列に接続した状態で使用する電気機器に内蔵され、前記複数の二次電池セルを充電する二次電池充電装置であって、前記複数の二次電池セル各々の充電状態を検出する検出手段を備えるようにしている。
【００１２】
このような構成によると、前記検出手段の検出結果から前記複数の二次電池セル各々の充電状態のばらつきが大きい状態を認識することが可能となる。そして、前記複数の二次電池セル各々の充電状態のばらつきが大きい状態を認識した場合、前記複数の二次電池セルを直列に接続した状態での充電を手動或いは自動で中止することにより、前記二次電池セルの過充電を未然に防止することができる。
【００１３】
また、前記複数の二次電池セル各々を個別に充電できる充電手段を備え、前記検出手段によって検出された前記複数の二次電池セル各々の充電状態の最大値と最小値との差が所定値以上である場合、前記充電手段により前記複数の二次電池セル各々を個別に充電するようにしてもよい。
【００１４】
このような構成によると、前記複数の二次電池セル各々を個別に充電することができるので、前記複数の二次電池セル各々の充電状態のばらつきが大きい状態でも前記二次電池セルの過充電を防止しながら、前記複数の二次電池セル全てを満充電にすることができる。
【００１５】
また、前記充電手段が、前記複数の二次電池セル各々を個別に充電することもでき、前記複数の二次電池セルを直列に接続した状態で前記複数の二次電池セルを同時に充電することもできる充電手段であって、前記検出手段によって検出された前記複数の二次電池セル各々の充電状態の最大値と最小値との差が所定値未満である場合、前記充電手段により前記複数の二次電池セルを直列に接続した状態で前記複数の二次電池セルを同時に充電するようにしてもよい。
【００１６】
このような構成によると、前記検出手段によって検出された前記複数の二次電池セル各々の充電状態の最大値と最小値との差が所定値未満である場合の充電時間の短縮を図ることができる。
【００１７】
また、前記複数の二次電池セル各々の周辺温度を検出する温度検出手段を備え、前記充電手段により前記複数の二次電池セルを直列に接続した状態で前記複数の二次電池セルを同時に充電している際に、前記温度検出手段によって検出された前記複数の二次電池セル各々の周辺温度の最大値と最小値との差が所定値以上であれば、充電を中止するようにしてもよい。
【００１８】
このような構成によると、前記複数の二次電池セル各々の周辺温度の最大値と最小値との差が所定値以上であれば充電を中止するようにしているので、前記複数の二次電池セル各々の充電状態のばらつきだけでは判断できない二次電池セル間の容量や劣化度の差によって起こり得る前記複数の二次電池セルの同時充電時における不具合（過充電など）を未然に防止することができる。
【００１９】
また、上記いずれかの構成の二次電池充電装置において、前記複数の二次電池セル各々の無負荷での電圧を検出し、前記複数の二次電池セル各々の無負荷での電圧の少なくとも一つが所定の範囲外であれば、充電を行わないようにしてもよい。
【００２０】
このような構成によると、一次電池が装着された場合でも誤って一次電池を充電するおそれがなくなる。
【００２１】
また、上記目的を達成するために本発明に係る電気機器は、上述した本発明に係る二次電池充電装置を内蔵し、前記二次電池充電装置が充電する複数の二次電池セルを直列に接続した状態で使用する。
【発明の効果】
【００２２】
本発明によると、複数の二次電池セルを直列に接続した状態で使用する電気機器に内蔵され、前記二次電池セルの過充電を未然に防止することができる二次電池充電装置及びそれを備えた電気機器を実現することができる。
【発明を実施するための最良の形態】
【００２３】
本発明の実施形態について図面を参照して以下に説明する。本発明に係る二次電池充電装置の構成例を図１に示す。
【００２４】
図１に示す本発明に係る二次電池充電装置は、ＡＣアダプタ１と、レギュレータ２と、ＤＣ／ＤＣコンバータ３と、充電回路４と、マイコン５と、逆流防止用ダイオードＤ１と、スイッチＳＷ１〜ＳＷ４と、抵抗Ｒ１〜Ｒ６と、サーミスタＴＨ１及びＴＨ２とを備えており、２本の電池セルＢＡＴ１及びＢＡＴ２を装着する。マイコン５は、スイッチＳＷ１〜ＳＷ４のＯＮ／ＯＦＦ及び充電回路のオン／オフを制御する。スイッチＳＷ１〜ＳＷ４には例えばＦＥＴを用いるとよい。図１に示す本発明に係る二次電池充電装置に装着された２本の電池セルＢＡＴ１及びＢＡＴ２はスイッチＳＷ２がＯＮであるときに直列に接続された状態になり、その状態において電池セルＢＡＴ１が高圧側の電池セルとなり、電池セルＢＡＴ２が低圧側の電池セルとなる。
【００２５】
ＡＣアダプタ１は商用ＡＣ電圧を６ＶのＤＣ電圧に変換する。ＡＣアダプタ１の出力電圧である６ＶのＤＣ電圧は、逆流防止用ダイオードＤ１を経由してレギュレータ２及びＤＣ／ＤＣコンバータ３に供給されるとともに、逆流防止用ダイオードＤ１を経由せずに充電回路４に供給される。レギュレータ２は、ＡＣアダプタ１から供給される６ＶのＤＣ電圧を３．３ＶのＤＣ電圧に変換して出力する。ＤＣ／ＤＣコンバータ３は、ＡＣアダプタ１から供給される６ＶのＤＣ電圧を所定値のＤＣ電圧に変換して出力する。
【００２６】
レギュレータ２の出力電圧は、サーミスタＴＨ１及び抵抗Ｒ５から成る温度検出回路と、サーミスタＴＨ２及び抵抗Ｒ６から成る温度検出回路と、マイコン５の入力端子ＳＹＳ＿３．３Ｖとに供給される。マイコン５は、レギュレータ２から供給される３．３ＶのＤＣ電圧をコア電圧として用いている。また、マイコン５は、ＤＣ／ＤＣコンバータ３の出力をＩ／Ｏ用電源として用いている。
【００２７】
電池セルＢＡＴ１とレギュレータ２の入力端及びＤＣ／ＤＣコンバータ３の入力端との間にスイッチＳＷ１が設けられている。また、電池セルＢＡＴ１と電池セルＢＡＴ２との間にスイッチＳＷ２が設けられている。
【００２８】
ＡＣアダプタ１からＤＣ電圧が出力されている場合、スイッチＳＷ１をＯＦＦとする。一方、ＡＣアダプタ１からＤＣ電圧が出力されていない場合、スイッチＳＷ１及びＳＷ２をＯＮとし、２本の電池セルＢＡＴ１及びＢＡＴ２の合計電圧をレギュレータ２及びＤＣ／ＤＣコンバータ３に供給する。例えば、ＡＣアダプタ１の出力電圧を検出する電圧検出回路を設け、当該電圧検出回路の検出結果に応じてマイコン５がスイッチＳＷ１及びＳＷ２のＯＮ／ＯＦＦを制御するようにすればよい。
【００２９】
２本の電池セルＢＡＴ１及びＢＡＴ２を直列に接続した状態で同時に充電するために、充電回路４の出力端が電池セルＢＡＴ１のプラス電極端子に接続されている。また、電池セルＢＡＴ１の単独充電を可能とするために電池セルＢＡＴ１のマイナス電極端子とグランドとの間にスイッチＳＷ３が設けられ、電池セルＢＡＴ２の単独充電を可能とするために電池セルＢＡＴ２のプラス電極端子と充電回路４の出力端との間にスイッチＳＷ４が設けられている。
【００３０】
抵抗Ｒ１及びＲ２から成る電圧検出回路が、スイッチＳＷ２がＯＮの場合には２本の電池セルＢＡＴ１及びＢＡＴ２の合計電圧を検出し、スイッチＳＷ２がＯＦＦでスイッチＳＷ３がＯＮの場合には電池セルＢＡＴ１の電圧を検出し、その検出結果をマイコン５の入力端子ＶＢＡＴ１＿ＤＥＴに送出する。抵抗Ｒ３及びＲ４から成る電圧検出回路が、電池セルＢＡＴ２の電圧を検出し、その検出結果をマイコン５の入力端子ＶＢＡＴ２＿ＤＥＴに送出する。
【００３１】
サーミスタＴＨ１及び抵抗Ｒ５から成る温度検出回路が、電池セルＢＡＴ１の周辺温度を検出し、その検出結果をマイコン５の入力端子ＢＡＴ１＿ＴＥＭＰに送出する。サーミスタＴＨ２及び抵抗Ｒ６から成る温度検出回路が、電池セルＢＡＴ２の周辺温度を検出し、その検出結果をマイコン５の入力端子ＢＡＴ２＿ＴＥＭＰに送出する。
【００３２】
次に、図１に示す本発明に係る二次電池充電装置について図２Ａ〜図２Ｄのフローチャートを参照して説明する。
【００３３】
初期状態では、ＡＣアダプタ１に商用ＡＣ電圧が供給されており、２本の電池セルＢＡＴ１及びＢＡＴ２が装着されていない状態で充電回路４がオフ状態となっている。
【００３４】
２本の電池セルＢＡＴ１及びＢＡＴ２が装着されると、充電回路４がオン状態とし、スイッチＳＷ３のみをＯＮし、スイッチＳＷ１、ＳＷ２、及びＳＷ４をＯＦＦにする（ステップ＃１０）。例えば、初期状態においてスイッチＳＷ２をＯＮにしていれば、マイコン５は入力端子ＶＢＡＴ１＿ＤＥＴの電圧を検出することによって２本の電池セルＢＡＴ１及びＢＡＴ２の装着を検知し、充電回路４をオン状態にすることができる。
【００３５】
続くステップ＃２０では、無負荷での電池セルＢＡＴ１の電圧ＶBAT1が抵抗Ｒ１及びＲ２から成る電圧検出回路によって検出され、その検出結果がマイコン５の入力端子ＶＢＡＴ１＿ＤＥＴに送出され、無負荷での電池セルＢＡＴ２の電圧ＶBAT2が抵抗Ｒ３及びＲ４から成る電圧検出回路によって検出され、その検出結果がマイコン５の入力端子ＶＢＡＴ２＿ＤＥＴに送出される。これにより、マイコン５が各電池セルの充電状態を確認することができる。
【００３６】
続くステップ＃３０では、電池セルＢＡＴ１の電圧ＶBAT1、電池セルＢＡＴ２の電圧ＶBAT2がともに１．６Ｖ以下であるかを判定する。
【００３７】
電池セルＢＡＴ１の電圧ＶBAT1、電池セルＢＡＴ２の電圧ＶBAT2のどちらか一方でも１．６Ｖより大きい場合（ステップ＃３０のＮＯ）、マイコン５は、ニッケル水素電池以外の電池が装着されたと判断し、充電回路４をオフ状態とし充電を中止する（ステップ＃１５０）。
【００３８】
電池セルＢＡＴ１の電圧ＶBAT1、電池セルＢＡＴ２の電圧ＶBAT2ともに１．６Ｖ以下である場合（ステップ＃３０のＹＥＳ）、マイコン５は、電池セルＢＡＴ１の電圧ＶBAT1と電池セルＢＡＴ２の電圧ＶBAT2との差を算出し、その差が０．２Ｖ以上であるかを判定する（ステップ＃４０）。
【００３９】
電池セルＢＡＴ１の電圧ＶBAT1と電池セルＢＡＴ２の電圧ＶBAT2との差が０．２Ｖ以上である場合（ステップ＃４０のＹＥＳ）、マイコン５は、電池セルＢＡＴ１と電池セルＢＡＴ２と充電状態のばらつきがあり各電池セルを単独で充電する必要があると判断し、電圧の低い電池セルから充電するように充電の順番を決定するために電池セルＢＡＴ１の電圧ＶBAT1と電池セルＢＡＴ２の電圧ＶBAT2とを比較する（ステップ＃５０）。電池セルＢＡＴ１の電圧ＶBAT1が電池セルＢＡＴ２の電圧ＶBAT2より大きくなければ（ステップ＃５０のＮＯ）、電池セルＢＡＴ１の充電を行い（ステップ＃６０）、電池セルＢＡＴ１の充電が終了するとスイッチＳＷ１及びＳＷ２はＯＦＦのままにし、スイッチＳＷ３をＯＦＦ、スイッチＳＷ４をＯＮにし（ステップ＃７０）、電池セルＢＡＴ２の充電を行い（ステップ＃８０）、電池セルＢＡＴ２の充電が終了すると全体の充電を終了する。電池セルＢＡＴ１の電圧ＶBAT1が電池セルＢＡＴ２の電圧ＶBAT2より大きければ（ステップ＃５０のＹＥＳ）、スイッチＳＷ１及びＳＷ２はＯＦＦのままにし、スイッチＳＷ３をＯＦＦ、スイッチＳＷ４をＯＮにし（ステップ＃９０）、電池セルＢＡＴ２の充電を行い（ステップ＃１００）、電池セルＢＡＴ２の充電が終了するとスイッチＳＷ１及びＳＷ２はＯＦＦのままにし、スイッチＳＷ４をＯＦＦ、スイッチＳＷ３をＯＮにし（ステップ＃１１０）、電池セルＢＡＴ１の充電を行い（ステップ＃１２０）、電池セルＢＡＴ１の充電が終了すると全体の充電を終了する。
【００４０】
一方、電池セルＢＡＴ１の電圧ＶBAT1と電池セルＢＡＴ２の電圧ＶBAT2との差が０．２Ｖ以上でない場合（ステップ＃４０のＮＯ）、２本同時に充電するために、スイッチＳＷ１及びＳＷ４はＯＦＦのままにし、スイッチＳＷ３をＯＦＦ、スイッチＳＷ２をＯＮにし（ステップ＃１３０）、電池セルＢＡＴ１及びＢＡＴ２の同時充電を行い（ステップ＃１４０）、電池セルＢＡＴ１及びＢＡＴ２の同時充電が終了すると全体の充電を終了する。
【００４１】
ここで、ステップ＃６０、ステップ＃１２０で行われている電池セルＢＡＴ１の充電動作の詳細について図２Ｂを参照して説明する。
【００４２】
電池セルＢＡＴ１の充電が開始されると、マイコン５は、入力端子ＶＢＡＴ１＿ＤＥＴに入力される検出結果に基づいて電池セルＢＡＴ１の電圧ＶBAT1を時間微分して電池セルＢＡＴ１の電圧変化率ｄＶBAT1／ｄｔを算出し、電池セルＢＡＴ１の電圧変化率ｄＶBAT1／ｄｔが０より小さいかを判定する（ステップ＃２１０）。
【００４３】
電池セルＢＡＴ１の電圧変化率ｄＶBAT1／ｄｔが０より小さい場合（ステップ＃２１０のＹＥＳ）、電池セルＢＡＴ１の充電を終了する。
【００４４】
一方、電池セルＢＡＴ１の電圧変化率ｄＶBAT1／ｄｔが０以上である場合（ステップ＃２１０のＮＯ）、マイコン５は、入力端子ＢＡＴ１＿ＴＥＭＰに入力されている電圧及び入力端子ＢＡＴ２＿ＴＥＭＰに入力されている電圧から電池セルＢＡＴ１の周辺温度ＴBAT1及び電池セルＢＡＴ２の周辺温度ＴBAT2を確認し（ステップ＃２２０）、電池セルＢＡＴ１の周辺温度ＴBAT1、電池セルＢＡＴ２の周辺温度ＴBAT2がともに６０℃より低いかを判定する（ステップ＃２３０）。電池セルＢＡＴ１の周辺温度ＴBAT1、電池セルＢＡＴ２の周辺温度ＴBAT2がともに６０℃より低い場合（ステップ＃２３０のＹＥＳ）、ステップ＃２１０に戻り、電池セルＢＡＴ１の周辺温度ＴBAT1、電池セルＢＡＴ２の周辺温度ＴBAT2のどちらか一方でも６０℃以上である場合（ステップ＃２３０のＮＯ）、異常であると判断して充電を中止する（＃２４０）。
【００４５】
なお、ステップ＃６０で行われている電池セルＢＡＴ１の充電動作の場合、電池セルＢＡＴ１の周辺温度ＴBAT1、電池セルＢＡＴ２の周辺温度ＴBAT2がともに６０℃より低ければ（ステップ＃２３０のＹＥＳ）、ステップ＃２１０に戻るのではなく、図２Ｂのフローを抜けて図２Ａのステップ＃２０に戻るようにしてもよい。これにより、電池セルＢＡＴ１の充電の充電が進んで電池セルＢＡＴ１の電圧ＶBAT1と電池セルＢＡＴ２の電圧ＶBAT2との差が０．２Ｖより小さくなると、電池セルＢＡＴ１及びＢＡＴ２の同時充電に移行することができ、充電時間の短縮を図ることができる。
【００４６】
続いて、ステップ＃８０、ステップ＃１００で行われている電池セルＢＡＴ２の充電動作の詳細について図２Ｃを参照して説明する。
【００４７】
電池セルＢＡＴ２の充電が開始されると、マイコン５は、入力端子ＶＢＡＴ２＿ＤＥＴに入力される検出結果に基づいて電池セルＢＡＴ２の電圧ＶBAT2を時間微分して電池セルＢＡＴ２の電圧変化率ｄＶBAT2／ｄｔを算出し、電池セルＢＡＴ２の電圧変化率ｄＶBAT2／ｄｔが０より小さいかを判定する（ステップ＃３１０）。
【００４８】
電池セルＢＡＴ２の電圧変化率ｄＶBAT2／ｄｔが０より小さい場合（ステップ＃３１０のＹＥＳ）、電池セルＢＡＴ２の充電を終了する。
【００４９】
一方、電池セルＢＡＴ２の電圧変化率ｄＶBAT2／ｄｔが０以上である場合（ステップ＃３１０のＮＯ）、マイコン５は、入力端子ＢＡＴ１＿ＴＥＭＰに入力されている電圧及び入力端子ＢＡＴ２＿ＴＥＭＰに入力されている電圧から電池セルＢＡＴ１の周辺温度ＴBAT1及び電池セルＢＡＴ２の周辺温度ＴBAT2を確認し（ステップ＃３２０）、電池セルＢＡＴ１の周辺温度ＴBAT1、電池セルＢＡＴ２の周辺温度ＴBAT2がともに６０℃より低いかを判定する（ステップ＃３３０）。電池セルＢＡＴ１の周辺温度ＴBAT1、電池セルＢＡＴ２の周辺温度ＴBAT2がともに６０℃より低い場合（ステップ＃３３０のＹＥＳ）、ステップ＃３１０に戻り、電池セルＢＡＴ１の周辺温度ＴBAT1、電池セルＢＡＴ２の周辺温度ＴBAT2のどちらか一方でも６０℃以上である場合（ステップ＃３３０のＮＯ）、異常であると判断して充電を中止する（＃３４０）。
【００５０】
なお、ステップ＃１００で行われている電池セルＢＡＴ２の充電動作の場合、電池セルＢＡＴ１の周辺温度ＴBAT1、電池セルＢＡＴ２の周辺温度ＴBAT2がともに６０℃より低ければ（ステップ＃３３０のＹＥＳ）、ステップ＃３１０に戻るのではなく、図２Ｃのフローを抜けてスイッチＳＷ３をＯＮ、スイッチＳＷ４をＯＦＦにしてから図２Ａのステップ＃２０に戻るようにしてもよい。これにより、電池セルＢＡＴ２の充電の充電が進んで電池セルＢＡＴ１の電圧ＶBAT1と電池セルＢＡＴ２の電圧ＶBAT2との差が０．２Ｖより小さくなると、電池セルＢＡＴ１及びＢＡＴ２の同時充電に移行することができ、充電時間の短縮を図ることができる。
【００５１】
続いて、ステップ＃１４０で行われている電池セルＢＡＴ１及びＢＡＴ２の同時充電動作の詳細について図２Ｄを参照して説明する。
【００５２】
電池セルＢＡＴ１及びＢＡＴ２の同時充電が開始されると、マイコン５は、入力端子ＶＢＡＴ１＿ＤＥＴに入力される検出結果に基づいて電池セルＢＡＴ１及びＢＡＴ２の合計電圧ＶBATを時間微分して電池セルＢＡＴ１及びＢＡＴ２の合計電圧変化率ｄＶBAT／ｄｔを算出し、電池セルＢＡＴ１及びＢＡＴ２の合計電圧変化率ｄＶBAT／ｄｔが０より小さいかを判定する（ステップ＃４１０）。
【００５３】
電池セルＢＡＴ１及びＢＡＴ２の合計電圧変化率ｄＶBAT／ｄｔが０より小さい場合（ステップ＃４１０のＹＥＳ）、電池セルＢＡＴ１及びＢＡＴ２の同時充電を終了する。
【００５４】
一方、電池セルＢＡＴ１及びＢＡＴ２の合計電圧変化率ｄＶBAT／ｄｔが０以上である場合（ステップ＃４１０のＮＯ）、マイコン５は、入力端子ＢＡＴ１＿ＴＥＭＰに入力されている電圧及び入力端子ＢＡＴ２＿ＴＥＭＰに入力されている電圧から電池セルＢＡＴ１の周辺温度ＴBAT1及び電池セルＢＡＴ２の周辺温度ＴBAT2を確認し（ステップ＃４２０）、電池セルＢＡＴ１の周辺温度ＴBAT1、電池セルＢＡＴ２の周辺温度ＴBAT2がともに６０℃より低いかを判定する（ステップ＃４３０）。電池セルＢＡＴ１の周辺温度ＴBAT1、電池セルＢＡＴ２の周辺温度ＴBAT2がともに６０℃より低い場合（ステップ＃４３０のＹＥＳ）、ステップ＃４３５に移行し、電池セルＢＡＴ１の周辺温度ＴBAT1、電池セルＢＡＴ２の周辺温度ＴBAT2のどちらか一方でも６０℃以上である場合（ステップ＃４３０のＮＯ）、異常であると判断して充電を中止する（＃４４０）。
【００５５】
ステップ＃４３５では、マイコン５は、電池セルＢＡＴ１の周辺温度ＴBAT1と電池セルＢＡＴ２の周辺温度ＴBAT2との差を算出し、その差が１０℃以上であるかを判定する。電池セルＢＡＴ１の周辺温度ＴBAT1と電池セルＢＡＴ２の周辺温度ＴBAT2との差が１０℃以上でない場合（ステップ＃４３５のＮ０）、ステップ＃４１０に移行し、電池セルＢＡＴ１の周辺温度ＴBAT1と電池セルＢＡＴ２の周辺温度ＴBAT2との差が１０℃以上である場合（ステップ＃４３５のＹＥＳ）、異常であると判断して充電を中止する（＃４４０）。
【００５６】
図１に示す本発明に係る二次電池充電装置は、２本の電池セルＢＡＴ１及びＢＡＴ２を直列に接続した状態で使用する電気機器に内蔵される二次電池充電装置である。前記電気機器が例えばポータブルオーディオ再生装置である場合、マイコン５は、Ｉ／Ｏ電源を利用して再生部に駆動電圧を供給するとともに前記再生部の動作を制御する。
【図面の簡単な説明】
【００５７】
【図１】は、本発明に係る二次電池充電装置の構成例を示す図である。
【図２Ａ】、
【図２Ｂ】、
【図２Ｃ】、及び
【図２Ｄ】は、図１に示す二次電池充電装置の動作を示すフローチャートである。
【図３】は、従来の二次電池充電装置の構成例を示す図である。
【符号の説明】
【００５８】
１    ＡＣアダプタ
２    レギュレータ
３    ＤＣ／ＤＣコンバータ
４    充電回路
５    マイコン
ＢＡＴ１、ＢＡＴ２    電池セル
Ｄ１    逆流防止用ダイオード
ＳＷ１〜ＳＷ４    スイッチ
Ｒ１〜Ｒ６    抵抗
ＴＨ１、ＴＨ２    サーミスタ
【図１】
2007053828.tif 000003
【図２Ａ】
2007053828.tif 000004
【図２Ｂ】
2007053828.tif 000005
【図２Ｃ】
2007053828.tif 000006
【図２Ｄ】
2007053828.tif 000007
【図３】
2007053828.tif 000008